(57)【要約】【課題】対称位置にある２つのセルのセル外側被覆部材をそれぞれ独立に固定できるようにする。【解決手段】容器やフィルムのガス透過性試験を行うガスバリア試験装置における被試験フィルムをセットするセルのセル外側被覆部材を固定するための治具である。本体部が中央枠体11とその両端部にそれぞれ位置する回動枠体12とからなる略コ字形状の枠体からなり、回動枠体12のそれぞれの端部には、その回動枠体12の端部と対向する回動枠体12の端部に向う方向にセル外側被覆部材を押圧し固定できる固定手段13を設ける。これにより、前記２つの固定手段13がガスバリア試験装置の対称位置に設けられた２つのセル外側被覆部材を両側から押圧し固定でき、それぞれ独立に開放し、固定することができる。【選択図】図４
2017129386.tif 000002
【特許請求の範囲】
【請求項１】
容器やフィルムのガス透過性試験を行うガスバリア試験装置における被試験フィルムをセットするセルのセル外側被覆部材を固定するための治具であって、
本体部が中央枠体とその両端部にそれぞれ位置する回動枠体とからなる略コ字形状の枠体からなり、
前記回動枠体のそれぞれの端部には、その回動枠体の端部と対向する回動枠体の端部に向う方向に前記セル外側被覆部材を押圧し固定できる固定手段を設け、
これにより、前記２つの固定手段がガスバリア試験装置の対称位置に設けられた２つのセル外側被覆部材を両側から押圧し固定できることを特徴とするガスバリア試験装置用のセル固定用治具。
【請求項２】
前記回動枠体が前記中央枠体の端部部位でそれぞれ独立に回動することを特徴とする請求項１に記載のガスバリア試験装置用のセル固定用治具。
【請求項３】
前記中央枠体の略中央部位で、左右の中央枠体と回動枠体がそれぞれ回動することを特徴とする請求項１に記載のガスバリア試験装置用のセル固定用治具。
【請求項４】
前記固定手段が螺子棒とその一方端部に設けられた回動頭部とからなり、
前記回動枠体の端部には螺子穴を設け、前記螺子棒の先端部を前記回動枠体の外側から対向する位置にある回動枠体の端部に向って螺合され、
前記螺子棒の先端部がセル外側被覆部材に当接して押圧固定することができることを特徴とする請求項１乃至３の何れか１項に記載のガスバリア試験装置用のセル固定用治具。
【発明の詳細な説明】
【技術分野】
【０００１】
本発明は、包装用容器や包装用フィルムのガスバリア性（ガス透過性）の性能評価試験において使用されるガスバリア試験装置に装備される治具であって、例えば合成樹脂製フィルムを被試験体として１つのセルにセットする際に、当該セルの外側部分を開放し且つ封止するセル外側被覆部材を固定することができるセル固定用治具に関するものである。
【０００２】
また、この固定用治具は、２つのセルを同時に或いは個別に開放し封止することもでき、これら２つのセルでそれぞれガスバリア性の性能評価試験を独立に行うことができるものである。
【背景技術】
【０００３】
現在利用されているガスバリア試験装置においては、包装容器や包装フィルムのガスバリア試験、即ち、水蒸気、酸素又は二酸化炭素等の各種ガスの透過性能の試験を行うことができるものである。
【０００４】
例えば、合成樹脂製包装用フィルムのガス透過性試験を行う場合には、一つのチャンバー（又はセル）内に当該被試験フィルムを配設して、この被試験フィルムによって区画される２つのチャンバーの一方のチャンバー内には、透過試験の目的とするガスを含む気体を流入させ、他方のチャンバーには当該透過試験の目的とするガスを含まないキャリアガスを流入させ、後者のキャリアガス内に前記透過試験目的のガスがキャリアガス内に侵入した透過量をセンサーが測定して、当該被試験フィルムのガス透過性試験を行うものである。
【０００５】
このようなガスバリア試験装置としては各種のものが存在しているが、その内の一つとして、対称位置に２つのセルを設け、これら２つのセル内に２種類のフィルムをセットして、同時に２種類のフィルムの検査を行うことができるものが存在している。
【０００６】
この種のタイプの試験装置では、２つのセルにおいて、異なる条件での試験も可能であり、或いは、２つのセルの内、一方のセルにおいてフィルムの試験を行い、他方のセルは使用せずに、他方のセルの側では包装用容器のガスバリア試験を行うことができる試験装置も存在している。
【０００７】
上記の試験装置においては、対称位置に位置する２つのセルで２種類のフィルムの検査を行うことができ、或いは、同じフィルムであっても異なる条件での試験を行うことができるものにおいては、これら２つのセルのセル外側被覆部材を両側から押圧し固定できるセル固定用治具が装備されている。
【０００８】
しかしながら、この従来のセル固定用治具は、単に左右の固定用治具を両側から中央に向って押圧し、同時に両側のセルを固定するだけのものであったために、同時に２つのセルの試験を行うことができるものの、一方の試験が完了しても、他方のセルの試験が完了するまで、次の別のフィルムに交換して、次の試験を行うことができなかったのである。
【発明の概要】
【発明が解決しようとする課題】
【０００９】
上記従来のガスバリア試験装置に装備されたセル固定用治具においては、上記した通り、対称位置に位置する２つのセルのセル外側被覆部材を両側から中央方向に向けて押圧できる治具が同時に２つのセルを押圧し固定することができたが、これら両者のセルを独立に押圧し、固定することができなかったのである。
つまり、２つのセルを独立に（別個に）開放し、閉鎖して固定することができなかったために、常に同時に２つのセルの試験をせざるを得なったのである。
【００１０】
そこで、本発明においては、これら対称位置にある２つのセルのセル外側被覆部材をそれぞれ独立に開放し且つ閉鎖して独立に固定できるセル固定用治具を提供することをその課題としている。
さらに、このような機能を有する治具において、より効率的な構成を創案することが本発明の課題となる。
【課題を解決するための手段】
【００１１】
上記課題を解決するために、本発明の第１のものは、容器やフィルムのガス透過性試験を行うガスバリア試験装置における被試験フィルムをセットするセルのセル外側被覆部材を固定するための治具であって、本体部が中央枠体とその両端部にそれぞれ位置する回動枠体とからなる略コ字形状の枠体からなり、前記回動枠体のそれぞれの端部には、その回動枠体の端部と対向する回動枠体の端部に向う方向に前記セル外側被覆部材を押圧し固定できる固定手段を設け、これにより、前記２つの固定手段がガスバリア試験装置の対称位置に設けられた２つのセル外側被覆部材を両側から押圧し固定できることを特徴とするガスバリア試験装置用のセル固定用治具である。
【００１２】
本発明の第２のものは、上記第１の発明において、前記回動枠体が前記中央枠体の端部部位でそれぞれ独立に回動することを特徴とするガスバリア試験装置用のセル固定用治具である。
【００１３】
本発明の第３のものは、上記第１の発明において、前記中央枠体の略中央部位で、左右の中央枠体と回動枠体がそれぞれ回動することを特徴とするガスバリア試験装置用のセル固定用治具である。
【００１４】
本発明の第４のものにおいては、上記それぞれの発明において、前記固定手段が螺子棒とその一方端部に設けられた回動頭部とからなり、前記回動枠体の端部には螺子穴を設け、前記螺子棒の先端部を前記回動枠体の外側から対向する位置にある回動枠体の端部に向って螺合され、前記螺子棒の先端部がセル外側被覆部材に当接して押圧固定することができることを特徴とするガスバリア試験装置用のセル固定用治具である。
【発明の効果】
【００１５】
上記第１の発明においては、セル固定用治具の本体部が中央枠体とその両端部にそれぞれ位置する回動枠体とからなる略コ字形状の枠体からなり、前記回動枠体のそれぞれの端部には、その回動枠体の端部と対向する回動枠体の端部に向う方向に、ガスバリア試験装置のセル外側被覆部材を押圧し固定できる固定手段を設けているために、前記２つの固定手段がガスバリア試験装置の対称位置に設けられた２つのセルを両側から押圧し固定できる。
【００１６】
そして、この固定用治具のそれぞれの回動枠体は、独立に中央枠体と回動するために、例えば、右側のセルの試験が終了すれば、右側の固定手段の固定を解除して、右側のセル外側被覆部材を開放して、被試験フィルムを交換することができ、同様に左側のセルの試験が終了すれば、左側の固定手段の固定を解除して、左側のセル外側被覆部材を開放して、被試験フィルムを交換することができる。
このようにして、左右のセルの試験をそれぞれ独立に別個に行うことができることとなるのである。
【００１７】
本発明の第２のものにおいては、上記第１の発明における本発明の本体部の構成をより限定したものであり、左右両側の回動枠体がそれぞれ中央枠体の両端部位において回動自在に構成されていることを特定したものである。
【００１８】
本発明の第３のものにおいては、上記第２の発明と同様に、上記第１の発明における本発明の本体部の構成をさらに別形態に限定したものである。
即ち、前記中央枠体の略中央部位で、左右の中央枠体と回動枠体がそれぞれ回動することを特徴とするものである。
これにより、中央枠体の略中央部位において、左右の構成部材がそれぞれ独立に別に回動することとなり、その効果は上記第１の発明と同じとなる。
【００１９】
本発明の第４のものにおいては、上記それぞれの発明において、固定手段の形態を限定したものである。
即ち、この固定手段は、螺子棒とその一方端部に設けられた回動頭部とからなり、前記螺子棒と螺合する螺子穴を回動枠体の端部にそれぞれ設け、この固定手段の螺子棒の先端を本体部の枠体の中央側に向けて螺合させ、前記回動頭部を回動することにより、螺子棒が回動枠体の螺子穴に螺入して両側から中央側に向って押圧固定できるようにしたものである。
【図面の簡単な説明】
【００２０】
【図１】本発明に係るセル固定用治具の一実施形態を装備したガスバリア試験装置の全体説明図である。
【図２】図１に示したガスバリア試験装置におけるＢセルを分解した状態の説明図である。
【図３】上記Ｂセルの部分の断面説明図である。
【図４】本発明に係るセル固定用治具を示し、その（Ａ）が全体説明図、その（Ｂ）が右側の回動枠体を手前側に引き起こした状態を図示した説明図である。
【発明を実施するための形態】
【００２１】
以下、添付の図面と共に本発明の一実施形態について説明する。
図１は、本発明に係るセル固定用治具の一実施形態を装備したガスバリア試験装置の全体説明図である。
この図１を用いて本発明に係るセル固定用治具を装備したガスバリア試験装置の概略を説明する。
【００２２】
このガスバリア試験装置３０は、水蒸気透過試験装置であり、正面の前面側に被試験フィルムをセットすることができるＡセル３２及びＢセル３１が左右に対称位置に設けられている。
【００２３】
内部構造については、後の図面を用いて説明するが、Ａセル３２及びＢセル３１の外側にはセル外側被覆部材３１ｓ及び３２ｓが被覆され、本発明に係るセル固定用治具１０の回動枠体１２、１２の先端部の固定手段１３によって、前記セル外側被覆部材３１ｓ及び３２ｓが開放され及び被覆、押圧されて固定される。
【００２４】
それぞれのセル３１、３２には、キャリアガスを送入する導入管及び被試験ガスである所定濃度の水蒸気を含むガスを送入する導入管が接続されている。
これらの導入管及び導出管は、装置３０内部に配設させることもできる。
【００２５】
上記セル３１、３２の内部では、セットされた被試験フィルムによって区画された２つの小室のそれぞれに上記キャリアガス及び水蒸気を含むガスが送り込まれ、導出されたキャリアガス内の水蒸気量をセンサーによって計測し、試験が行われるのである。
【００２６】
図２は、図１に示したガスバリア試験装置におけるＢセルを分解した状態の説明図である。
Ａセル３２及びＢセル３１のそれぞれの構成は、同一であって、左右対称構造を有する。
【００２７】
まず、被試験フィルムＦの内側にはフィルム保持板３３が配置される。
このフィルム保持板３３に被試験フィルムＦを接合して保持し、ガスバリア試験装置３０の取付部４０の図中右側側面部に接合される。
【００２８】
被試験フィルムＦの外側には固定用のマグネットシート３４を配置し、その外側からセル外側被覆部材３１ｓを接合するのである。
このセル外側被覆部材３１ｓの略中央部位３１ｃを固定手段１３が押圧し、固定することができる。固定手段１３については、後の図により説明する。
【００２９】
ガスバリア試験装置３０の取付部４０の図中右側側面のセル外側被覆部材３１ｓを被覆する部分には、キャリアガスを導入する導入口３５が設けられ、またその下側には、キャリアガスを導出する導出口３６が設けられている。
図中、４４は、透過試験を行う対象ガス（ここでは水蒸気）を含む被試験用ガスが導入される導入路を示し、４５は、当該被試験用ガスが導出される導出路を示している。
【００３０】
従って、Ｂセル３１のセル外側被覆部材３１ｓをガスバリア試験装置３０の取付部４０に固定すると、被試験フィルムＦによって、その内側である取付部４０の側に小室が形成され、この小室内にキャリアガスの導入口３５からキャリアガスが導入され、その導出口３６から、被試験フィルムＦを透過した水蒸気を含むキャリアガスが導出されるのである。
【００３１】
この導出されたキャリアガス内に含まれた水蒸気量をセンサーによって検知し、測定することにより、被試験フィルムＦの水蒸気透過性能が試験されるのである。
この図２においては、セル固定用治具１０は、ガスバリア試験装置３０の底面部３８の凹所３８ｈ内に収納された状態にある。
【００３２】
この図２においては、隠れていて判別し難いが、セル固定用治具１０は、略コ字形状を有し、その中央枠体１１の両端部に回動枠体１２、１２が配設され、これら回動枠体１２の先端部に固定手段１３が配設されている。
【００３３】
図３は、上記Ｂセルの部分の断面説明図である。
ガスバリア試験装置の取付部４０の凹所４１には、キャリアガスの導入口３５及び導出口３６が設けられている。
【００３４】
被試験フィルムＦは、この図では明確には判別できないが、上記した通り、内側にはフィルム保持板とその外側にはマグネットシートが接合され、その外側からセル外側被覆部材３１ｓが接合され、固定される。
【００３５】
このように、被試験フィルムＦが取付部４０の側面に接合されてセル外側被覆部材３１ｓが固定されることにより、上記取付部４０の凹所４１の部分に内側小室４２が形成される。
【００３６】
他方、被試験フィルムＦの外側には、外側小室４３が形成される。
そして、この外側小室４３には、取付部４０からセル外側被覆部材３１ｓへと導通路が形成され、この導通路が導入路４４となり、この導入路４４から例えば水蒸気を含む窒素ガス等の被試験用ガスが導入される。
【００３７】
他方、この外側小室４３から上記水蒸気を含む窒素ガスを導出する導出路４５が形成され、所定濃度の水蒸気を含む被試験用ガスが上記外側小室４３を流通することとなる。
内側小室４２には、キャリアガスとしての窒素ガスを流通させているために、上記被試験フィルムＦを透過した水蒸気は、このキャリアガス内に含まれ、センサーへと流入し、測定されることとなるのである。
【００３８】
以上のように、被試験フィルムＦをＢセル３１内にセットし、外側小室４３内には測定される透過ガスを含む被試験用ガスを流通させ、内側小室４２内にはキャリアガスを流通させ、後者のキャリアガス内への透過ガスを検知及び測定することにより被試験フィルムＦのガス透過性能を試験することができるのである。
【００３９】
上記の構成は、反対側に設けられているＡセル３２の構成と全く同一であり、対称構造を有している。
このＡセル３２及びＢセル３１を形成するセル外側被覆部材３１ｓ、３２ｓを外側から押圧し固定する治具が本発明に係るセル固定用治具となるのである。
【００４０】
図４は、本発明に係るセル固定用治具を示し、その（Ａ）が全体説明図、その（Ｂ）が右側の回動枠体を手前側に引き起こした状態を図示した説明図である。
本発明に係るセル固定用治具１０は、その本体部が中央枠体１１とその両端部に設けた回動枠体１２、１２とから成る。
【００４１】
この実施形態では、中央枠体１１の略中央部にジョイント部１５が設けられ、このジョイント部１５の左右の部分が相互に独立に回動する構成である。
即ち、ジョイント部１５の左の中央枠体１１と左側の回動枠体１２が一体となって回動し、右の中央枠体１１と右側の回動枠体１２が一体となって回動する。
【００４２】
左右の回動枠体１２、１２の端部には固定手段１３が設けられている。
この固定手段１３は、頭部の大きな螺子の形態を有し、螺子棒１３ｓの一方端部に回動頭部１３ｈが設けられたものである。
【００４３】
回動枠体１２の先端部には、螺子穴が設けられ、上記固定手段１３の螺子棒１３ｓの先端から螺合させて行くことができる。
これにより、当該セル固定用治具１０をガスバリア試験装置３０の底面部３８の平面視略コ字形状の凹所３８ｈに装備させることができる（図２参照）。
【００４４】
ガスバリア試験装置３０の底面部３８の凹所３８ｈに装備された上記セル固定用治具１０は、その両端部の回動枠体１２、１２がそれぞれ独自に回動することができるために、その先端部の固定手段１３を緩めたり、締め付けたりすることにより、Ａセル３２又はＢセル３１のそれぞれのセル外側被覆部材３１ｓ、３２ｓを個別に開放し又は固定することができる。
【００４５】
上記実施形態に係るセル固定用治具１０においては、その中央枠体１１の中央のジョイント部１５の部分で左右が相互に回動する構成としたが、両端部の回動枠体１２、１２と中央枠体１１との接続部分で回動する構造を採用することも当然に可能であり、具体的な構造については適宜設計変更することができる。
【００４６】
尚、上記セル固定用治具１０の中央枠体１１の位置決めは、適宜ガスバリア試験装置３０の底面部３８の凹所３８ｈの形状を適宜設計し、中央枠体１１の位置が固定されるようにしておけばよい。
これにより、左右一方の回動枠体１２の先端部の固定手段１３を緩めたり、締め付けたりしても、他方の回動枠体１２のセルの固定に何ら影響を及ぼす心配もない。
【００４７】
更には、上記セル固定用治具１０がガスバリア試験装置３０の底面部３８の凹所３８ｈ内から外に飛び出さないような手段を設けることも全く自由である。
例えば、セル固定用治具１０を前記凹所３８ｈに装備した後、一方側縁が蝶着された押え部材により中央枠体１１を上方から押さえ付ける構成を採用することもできる。
【００４８】
以上、本発明の実施形態について説明したが、本発明においては以下の通り各種設計変更することができる。
本発明に係るセル固定用治具は、金属製であるが、その素材は適宜変更して実施することができる。
【００４９】
中央枠体及び回動枠体のサイズ及び形状は適宜設計変更することができる。
上記した通り、回動枠体は、中央枠体との連結部で回動させることもできるし、中央枠体の略中央部位のジョイント部にて回動させることも可能である。
【００５０】
固定手段についても、上記実施形態では螺子棒とその回動頭部にて形成したが、回動頭部の形態も適宜設計変更することができ、円柱形態でなく、多角柱形態でもよいし、蝶ネジ形態のものであってもよく、適宜設計変更することができる。
【００５１】
最後に、本発明に係るセル固定用治具は、各種のガスバリア試験装置の２つの試験用セルの固定に用いることができるが、一方のセルを固定し、他方のセルの固定には使用せずに、他方のセルの試験の代わりに、包装用容器のガスバリア試験を行うことができるため、各種のタイプのガスバリア試験装置に利用することができるものである。
【００５２】
以上、本発明は、簡易な構成を採用することにより、２つの対称位置にあるセルを同時に固定し、或いは一方のセルのみを固定することもでき、且つ、何れか一方のセルのみを開放して別の被試験フィルムと交換することもでき、即ち、２つのセルを独立に開放・固定することができ、２つのセルの被試験フィルムを独立に試験することができる極めて便利なセル固定用治具を創案することができた。
【符号の説明】
【００５３】
１０  セル固定用治具
１１  中央枠体
１２  回動枠体
１３  固定手段
１３ｈ  回動頭部
１３ｓ  螺子棒
１５  ジョイント部
３０  ガスバリア試験装置
３１  Ｂセル
３１ｓ、３２ｓ  セル外側被覆部材
３２  Ａセル
３３  フィルム保持板
３４  マグネットシート
３５  導入口
３６  導出口
３８  底面部
３８ｈ  凹所
４０  取付部
４１  凹所
４２  内側小室
４３  外側小室
４４  導入路
４５  導出路
【図１】
2017129386.tif 000003
【図２】
2017129386.tif 000004
【図３】
2017129386.tif 000005
【図４】
2017129386.tif 000006